(57)【要約】【課題】特別な機器を必要とせず、システム内で内部リークが発生した場合にこれを検出することができる空調システムを提供する。【解決手段】  吸湿剤を内部に備え、通過する空気が有する水分を吸着又は通過する空気に水分を脱離する調湿部と熱交換可能に構成され、通過する冷却用空気にて調湿部を冷却する冷却部とを夫々有する一対の調湿素子Ｅ１,Ｅ２間で、除湿動作と再生動作とを、交互に繰り返す空調システムにであって、除湿動作時冷却部状態情報と、再生動作時冷却部状態情報とを取得する状態情報取得手段Ｓ１を備え、両者間に設定範囲以上の差が認められる場合に、調湿素子に内部リークが発生している可能性があると判定する。【選択図】図１
2018169056.tif 000002
【特許請求の範囲】
【請求項１】
吸湿剤を内部に備え、通過する空気が有する水分を吸着又は通過する空気に水分を脱離する調湿部と、前記調湿部と熱交換可能に構成され、通過する冷却用空気にて前記調湿部を冷却する冷却部とを夫々有する一対の調湿素子を備え、
室外空間から取り込んだ室外空気を室内空間へ供給する通路を給気通路とし、
室内空間から取り出した室内空気を室外空間へ排気する通路を排気通路とし、
室外空間から取り込んだ室外空気を前記調湿部に通過させ、調湿部通過後の室外空気を室外空間へ排気する通路を室外空気排気循環通路として形成可能に構成され、
前記一対の調湿素子間で、
一方の調湿素子の吸湿剤が、調湿部を通過する空気から水分を吸着する除湿動作と、他方の調湿素子の吸湿剤が、調湿部を通過する空気に水分を脱離する再生動作とを、交互に繰り返す空調システムであって、
一の前記調湿素子に関し、
当該調湿素子の前記除湿動作時における、当該調湿素子の前記冷却部近傍における冷却用空気の状態情報である除湿動作時冷却部状態情報と、当該調湿素子の前記再生動作時における、当該調湿素子の前記冷却部近傍における冷却用空気の状態情報である再生動作時冷却部状態情報とを取得する状態情報取得手段を備え、
前記状態情報取得手段により取得される、除湿動作時冷却部状態情報と再生動作時冷却部状態情報との比較において、両者間に設定範囲以上の差が認められる場合に、
当該一の前記調湿素子に内部リークが発生している可能性があると判定する内部リーク判定手段を備えた空調システム。
【請求項２】
前記状態情報取得手段が、
前記冷却部入口における冷却用空気の状態情報である除湿動作時冷却部入口状態情報及び当該冷却部出口における冷却用空気の状態情報である除湿動作時冷却部出口状態情報と、
前記冷却部入口における冷却用空気の状態情報である再生動作時冷却部入口状態情報及び当該冷却部出口における冷却用空気の状態情報である再生動作時冷却部出口状態情報とを取得する構成で、
前記内部リーク判定手段が、同一箇所における前記状態情報を比較する請求項１記載の空調システム。
【請求項３】
前記内部リーク判定手段が、差が認められた同一箇所に従って、当該箇所の付近で内部リークが発生している可能性があると判定する請求項２記載の空調システム。
【請求項４】
前記状態情報が、前記冷却用空気の温度または湿度もしくはそれらの両方である請求項１〜３の何れか一項記載の空調システム。
【請求項５】
前記調湿素子が平面視で概略六角形状を有し、
対向する一対の辺に位置する側壁が閉鎖壁として構成され、
残余の四辺に関し、対向する一対の辺が調湿素子の厚み方向において交互に開口されて、厚み方向に交互に前記調湿部と前記冷却部として構成され、
前記調湿素子それぞれに、
前記給気通路の入口から調湿部入口に流れる空気の量を調整する第１調整手段、
前記給気通路の入口から昇温状態で調湿部入口に流れる空気の量を調整する第２調整手段、
調湿部出口から給気通路の出口に流れる空気の量を調整する第３調整手段、
調湿部出口から排気通路の出口に流れる空気の量を調整する第４調整手段、
排気通路の入口から冷却部入口に流れる空気の量を調整する第５調整手段を備え、
六角形状に形成される前記調湿素子が、胴体の内部に素子厚み方向を胴体高さ方向に合わせて位置を異ならせて配置されるとともに、前記調湿部入口と前記冷却部出口とを区画する厚み方向端縁辺、及び、前記調湿部出口と前記冷却部入口とを区画する厚み方向端縁辺から、それぞれ胴体の長手方向に延出され、胴体内を前記給気通路と前記排気通路とを区画する長手方向区画壁が設けられ、
前記第１調整手段から第５調整手段の胴内配置位置より前記調湿素子側の領域が、高さ方向区画面により、調湿素子それぞれに対応して分割形成されている請求項１〜４の何れか一項記載の空調システム。
【発明の詳細な説明】
【技術分野】
【０００１】
本発明は、吸湿剤を内部に備え、通過する空気が有する水分を吸着又は通過する空気に水分を脱離する調湿部と、前記調湿部と熱交換可能に構成され、通過する冷却用空気にて前記調湿部を冷却する冷却部とを夫々有する一対の調湿素子を備え、
室外空間から取り込んだ室外空気を室内空間へ供給する通路を給気通路とし、
室内空間から取り出した室内空気を室外空間へ排気する通路を排気通路とし、
室外空間から取り込んだ室外空気を前記調湿部に通過させ、調湿部通過後の室外空気を室外空間へ排気する通路を室外空気排気循環通路として形成可能に構成され、
前記一対の調湿素子間で、
一方の調湿素子の吸湿剤が、調湿部を通過する空気から水分を吸着する除湿動作と、他方の調湿素子の吸湿剤が、調湿部を通過する空気に水分を脱離する再生動作とを、交互に繰り返す空調システムに関する。
【背景技術】
【０００２】
この種の空調システムが、特許文献１、特許文献２に紹介されている。
空調システムを構成する調湿素子は、それぞれ調湿部と冷却部とを熱交換可能に積層して備え、その一方の調湿素子で、所望の動作（例えば室外空気の除湿）を行い、室内空間へ供給するとともに、他方の調湿素子でその再生を行う。そして、吸湿剤の状況に従って、一対の調湿素子間で、その動作（除湿動作・再生動作）を切換えることにより、所謂、除湿・再生運転を継続することができる。
【０００３】
ここで、一方の調湿素子での除湿動作は、冷却部を通過する空気（例えば夏場に冷却された状態にある室内空気）により、その調湿素子の調湿部を冷却することで、この調湿部を通過する空気（例えば夏場に高湿状態にある室外空気）が有する水分を吸湿剤に吸着するものである。
【０００４】
この除湿動作において、調湿部を通過する空気は、室外空間から取り込まれ、室内空間に供給される。この給気通路を図６にＬｆとして太実線で示した。
【０００５】
冷却部を通過する空気（本願において「冷却用空気」と呼ぶことがある）は、室内空間から取り込まれ室外空間へ排気されるが、冷却部における熱交換により冷熱を調湿部（具体的には吸湿剤）に与えながら排気通路を流通する。この排気通路を図６にＬｅ（破線）で示した。
【０００６】
このようにして、一の調湿素子が除湿動作すると、その調湿素子に備えられる吸湿剤は水分を吸着して飽和するため、さらに水分を吸着することはできない。そこで、再生動作が必要となる。
【０００７】
再生動作は、昇温された空気を調湿部に流すことで、吸湿剤から水分を奪い、吸湿剤を再生する。このようにして吸湿剤を再生した空気（水分を含んだ高湿の空気）は室外空間へ排出する。この通路を本発明では室外空気排気循環通路と呼び、図６にＬｏａｒ（一点鎖線）で示した。
【先行技術文献】
【特許文献】
【０００８】
【特許文献１】特開２０１７−０１５３６８号公報
【特許文献２】特開２０１７−０１５３６７号公報
【発明の概要】
【発明が解決しようとする課題】
【０００９】
この種の空調システムを構成する除湿素子は、先にも説明したように、給熱側の流体（本発明の場合は調湿部を流れる空気）と、受熱側の流体（本発明の場合は冷却部を流れる空気）との間で熱交換を行う熱交換素子として構成されるが、このような素子にあっては、結露時の結露水や風圧で素子材料が劣化し、二つの機体の接着面が破れて、内部でリークが発生する場合がある。
【００１０】
従来，この種の内部リークを機器単独で検出する手段は設けられておらず、素子単独で素子内部のリークを検出するには、大掛かりな設備が必要であった。
【００１１】
この実情に鑑み、本発明の主たる課題は、特別な機器を必要とせず、システム内で内部リークが発生した場合にこれを検出することができる空調システムを提供することにある。
【課題を解決するための手段】
【００１２】
本発明の第１の特徴構成は、
吸湿剤を内部に備え、通過する空気が有する水分を吸着又は通過する空気に水分を脱離する調湿部と、前記調湿部と熱交換可能に構成され、通過する冷却用空気にて前記調湿部を冷却する冷却部とを夫々有する一対の調湿素子を備え、
室外空間から取り込んだ室外空気を室内空間へ供給する通路を給気通路とし、
室内空間から取り出した室内空気を室外空間へ排気する通路を排気通路とし、
室外空間から取り込んだ室外空気を前記調湿部に通過させ、調湿部通過後の室外空気を室外空間へ排気する通路を室外空気排気循環通路として形成可能に構成され、
前記一対の調湿素子間で、
一方の調湿素子の吸湿剤が、調湿部を通過する空気から水分を吸着する除湿動作と、他方の調湿素子の吸湿剤が、調湿部を通過する空気に水分を脱離する再生動作とを、交互に繰り返す空調システムであって、
一の前記調湿素子に関し、
当該調湿素子の前記除湿動作時における、当該調湿素子の前記冷却部近傍における冷却用空気の状態情報である除湿動作時冷却部状態情報と、当該調湿素子の前記再生動作時における、当該調湿素子の前記冷却部近傍における冷却用空気の状態情報である再生動作時冷却部状態情報とを取得する状態情報取得手段を備え、
前記状態情報取得手段により取得される、除湿動作時冷却部状態情報と再生動作時冷却部状態情報との比較において、両者間に設定範囲以上の差が認められる場合に、
当該一の前記調湿素子に内部リークが発生している可能性があると判定する内部リーク判定手段を備えた点にある。
【００１３】
本構成によれば、空調システムは、基本的に、吸湿剤による調湿部を通過する空気からの水分の吸着、空気の脱離を伴って運転されるが、先にも示したように、調湿素子は各部位を流れる空気間で熱交換を行う熱交換素子となる。
【００１４】
従って、内部リークが発生するとの課題を免れ得ないが、このような内部リークが発生した場合、一方の空気（通常は高温・高湿度側の空気）が他方の空気に混ざり込む。本発明の場合は、調湿部を通過する空気が冷却部に混入する。特に、再生動作時には、この傾向が顕著に現れる。
【００１５】
そこで、本発明の係る空調システムでは、状態情報取得手段を設け、除湿動作時冷却部状態情報と再生動作時冷却部状態情報と取得する。
【００１６】
このようにして取得された両情報に関して、内部リーク判定手段は、除湿動作時冷却部状態情報と再生動作時冷却部状態情報との比較において、両者間に設定範囲以上の差が認められる場合に、内部リークが発生している可能性があると判定する。
【００１７】
従って、調湿部と冷却部との間で熱交換を行う構成の素子、一対備え、調湿部に吸湿剤を有する構成で、一方の素子において水分の吸着を、他方の素子で水分の脱離を行って当該素子の再生を実行する空調システムで発生することがある内部リークを、合理的且つ良好に検知して、事後の処理を行える。
【００１８】
本発明のシステムは、基本的に調湿素子それぞれに検出機構を設けるだけで構築できるため、従来必要とされた大掛りな設備が必須となることもない。
【００１９】
本発明の第２の特徴構成は、
前記状態情報取得手段が、
前記冷却部入口における冷却用空気の状態情報である除湿動作時冷却部入口状態情報及び当該冷却部出口における冷却用空気の状態情報である除湿動作時冷却部出口状態情報と、
前記冷却部入口における冷却用空気の状態情報である再生動作時冷却部入口状態情報及び当該冷却部出口における冷却用空気の状態情報である再生動作時冷却部出口状態情報とを取得する構成で、
前記内部リーク判定手段が、同一箇所における前記状態情報を比較する点にある。
【００２０】
本構成によれば、状態情報取得手段が冷却部入口及び冷却部出口の情報を別箇に取得することにより、内部リークの発生箇所に近い状態情報を使用して合理的な判断を行える。
【００２１】
本発明の第３の特徴構成は、
前記内部リーク判定手段が、差が認められた同一箇所に従って、当該箇所の付近で内部リークが発生している可能性があると判定する点にある。
【００２２】
本構成によれば、内部リークの箇所まで判定対象とすることができる。
【００２３】
本発明の第４の特徴構成は、
前記状態情報が、前記冷却用空気の温度または湿度もしくはそれらの両方である点にある。
尚、本願において、湿度とは、絶対湿度を示す。
【００２４】
本構成によれば、温度または湿度を通用の簡易機器を使用して良好に取得し、内部リークの判定を行える。従って、極めて合理的且つ有用なシステムを構築できる。
【００２５】
本発明の第５の特徴構成は、
前記調湿素子が平面視で概略六角形状を有し、
対向する一対の辺に位置する側壁が閉鎖壁として構成され、
残余の四辺に関し、対向する一対の辺が調湿素子の厚み方向において交互に開口されて、厚み方向に交互に前記調湿部と前記冷却部として構成され、
前記調湿素子それぞれに、
前記給気通路の入口から調湿部入口に流れる空気の量を調整する第１調整手段、
前記給気通路の入口から昇温状態で調湿部入口に流れる空気の量を調整する第２調整手段、
調湿部出口から給気通路の出口に流れる空気の量を調整する第３調整手段、
調湿部出口から排気通路の出口に流れる空気の量を調整する第４調整手段、
排気通路の入口から冷却部入口に流れる空気の量を調整する第５調整手段を備え、
六角形状に形成される前記調湿素子が、胴体の内部に素子厚み方向を胴体高さ方向に合わせて位置を異ならせて配置されるとともに、前記調湿部入口と前記冷却部出口とを区画する厚み方向端縁辺、及び、前記調湿部出口と前記冷却部入口とを区画する厚み方向端縁辺から、それぞれ胴体の長手方向に延出され、胴体内を前記給気通路と前記排気通路とを区画する長手方向区画壁が設けられ、
前記第１調整手段から第５調整手段の胴内配置位置より前記調湿素子側の領域が、高さ方向区画面により、調湿素子それぞれに対応して分割形成されている点にある。
【００２６】
本構成によれば、一対の調湿素子Ｅを備え、吸湿剤による水分の吸着と脱離を交互に実行して、所定の動作を継続的する空調システムをコンパクト且つ合理的な配置を有する装置とすることができる。
【図面の簡単な説明】
【００２７】
【図１】実施形態に係る空調システムの通路構成図
【図２】実施形態に係る空調システムの簡略構成図
【図３】調湿素子の斜視図
【図４】調湿素子の分解斜視図
【図５】調湿素子の拡大断面図
【図６】空調システムが除湿・再生運転を行っている状態の通路構成を示す説明図
【図７】内部リークが発生している場合の温度変化を示す図
【図８】内部リークの判定フロー
【発明を実施するための形態】
【００２８】
以下図面に基づいて、本発明を実施するための形態を説明する。
【００２９】
以下、先ず図１〜図６を参照して説明する。
説明に際しては、図６に示す上側の調湿素子Ｅ１が除湿動作を行い、下側の調湿素子Ｅ２が再生動作を行っている除湿・再生運転を基準に説明を進める。
【００３０】
本発明の空調システム１００は、少なくとも除湿・再生運転が可能とされている。ここで、除湿は、調湿部Ｗを通過する空気ＷＡの有する水分を吸湿剤６に吸着させ、調湿対象の空気ＷＡを除湿することを意味する。
【００３１】
一方、再生は、このようにして水分を吸着した状態にある吸湿剤６から水分を脱離させて再生することを意味する。脱離された水分は、除湿・再生運転では室外空間Ｏに排出する。
【００３２】
〔共通事項〕
全体構成
本発明に係る空調システム１００は、図３に示すように、吸湿剤６を内部に備え、通過する空気ＷＡが有する水分を吸着又は通過する空気ＷＡに水分を脱離する調湿部Ｗと、前記調湿部Ｗと熱交換可能に構成され、通過する冷却用空気ＣＡにて前記調湿部Ｗを冷却する冷却部Ｃとを積層して夫々有する一対の調湿素子Ｅを備えて構成されている。
【００３３】
図１、図２に示すように、空調システム１００は、一対の調湿素子Ｅで共通に、給気用の第１ファンＦ１と排気用の第２ファンＦ２とを備えている。これら第１、第２ファンＦ１、Ｆ２の配置部位は単一の共通通路とされている。
【００３４】
第１ファンＦ１の主な役割は室外空間Ｏから室外空気ＯＡを取り込んで調湿部Ｗに通過させ、室内空間Ｒに供給する給気通路Ｌｆを形成することにある（図６参照）。
【００３５】
この室外空気ＯＡを取り込み調湿部Ｗに通過させる形態において、第１ファンＦ１と調湿部Ｗとの間の通路を二つ設け、一方の通路Ｌ１に関しては、第１ファンＦ１により取り込んだ室外空気ＯＡをそのまま調湿部Ｗに送り込み、他方の通路Ｌ２にヒータ２２（昇温手段の一例）を設け、取り込んだ室外空気ＯＡを昇温して調湿部Ｗに送り込むことが可能となっている。
この通路に関しても、本発明では共通化可能であるが、調湿素子Ｅに対応して別としてもよい。
【００３６】
第２ファンＦ２の主な役割は冷却用空気ＣＡを冷却部Ｃに通過させ、室外空間Ｏに排出することにある。
【００３７】
図１に示すように、第１実施形態の空調システム１００は、１０のダンパーｄ１〜ｄ１０（調整手段の一例）を備えて構成されている。
同図において、奇数番号を付したダンパーｄ１、ｄ３、ｄ５、ｄ７、ｄ９は、上側の調湿素子Ｅ１に対して設けられるダンパーあり、偶数番号のダンパーｄ２、ｄ４、ｄ６、ｄ８、ｄ１０は、下側の調湿素子Ｅ２の対して設けられるダンパーｄである。
【００３８】
両調湿素子Ｅ１、Ｅ２間で、機能を同じくするダンパーの番号を連番とした。
例えば、ダンパーｄ１は上側の調湿素子Ｅ１に対して働き、ダンパーｄ２は下側の調湿素子Ｅ２に対して働く。以下、（ｄ３、ｄ４）、（ｄ５、ｄ６）、（ｄ７、ｄ８）、（ｄ９、ｄ１０）でそれぞれ対を成している。また、以下の説明では、有効なダンパーｄの符号を（）無しで示し、対応するダンパーｄの符号を補助的に（）付きで記載することがある。
【００３９】
このようなダンパーｄ１〜ｄ１０の配置を、一の調湿素子Ｅに対する位置関係で示したのが、図２である。
【００４０】
図１、図２からも判明するように、
ダンパーｄ１、ｄ２は、給気通路Ｌｆの入口から調湿部入口Ｗｉｎに流れる空気の量を調整する第１調整手段を構成する。
【００４１】
ダンパーｄ３、ｄ４は、給気通路Ｌｆの入口から昇温状態で調湿部入口Ｗｉｎに流れる空気の量を調整する第２調整手段を構成する。
【００４２】
ダンパーｄ５、ｄ６は、調湿部出口Ｗｏｕｔから給気通路Ｌｆの出口に流れる空気の量の調整する第３調整手段を構成する。
【００４３】
ダンパーｄ７、ｄ８は、調湿部出口Ｗｏｕｔから排気通路Ｌｅの出口に流れる空気の量を調整する第４調整手段を構成する。
【００４４】
ダンパーｄ９、ｄ１０は、前記排気通路Ｌｅの入口から冷却部入口Ｃｉｎに流れる空気の量を調整する第５調整手段を夫々構成する。
【００４５】
従って、第１ファンＦ１の稼働状態で、ダンパーｄ１（ｄ２）及びｄ５（ｄ６）が開状態とされることで、室外空間Ｏから取り込んだ室外空気ＯＡを、調湿素子Ｅ（調湿部Ｗ）を介して室内空間Ｒへ供給する通路を給気通路Ｌｆが形成される（図６参照）。
【００４６】
また、第１ファンＦ１の稼働状態で、ダンパーｄ３（ｄ４）及びｄ５（ｄ６）が開状態とされることで、室外空間Ｏから取り込んだ室外空気ＯＡをヒータ２２により昇温して、調湿素子Ｅ（調湿部Ｗ）を介して室内空間Ｒへ供給する通路を給気通路Ｌｆが形成される（図６参照）。
【００４７】
第２ファンＦ２の稼働状態で、ダンパーｄ９（ｄ１０）が開状態とされることで、室内空間Ｒから取り出した室内空気ＲＡを、調湿素子Ｅ（後述するように冷却部Ｃ）を介して室外空間Ｏへ排気する通路を排気通路Ｌｅとして形成する（図６参照）。
【００４８】
第１、第２ファンＦ１、Ｆ２の稼働状態で、ダンパーｄ４（ｄ３）、ｄ８（ｄ７）を開状態とし、ダンパーｄ６（ｄ５）を閉状態とすることで、室外空間Ｏから取り込んだ室外空気ＯＡを昇温状態で調湿素子Ｅ（後述するように調湿部Ｗ）に通過させ、調湿部通過後の室外空気ＯＡを室外空間Ｏへ排気する通路を室外空気排気循環通路Ｌｏａｒとして形成する（図６参照）。
【００４９】
本発明の空調システム１００を、図６に示した状態で説明すると、一対の調湿素子Ｅ１、Ｅ２のうちの何れか一方の調湿素子Ｅ１が、排気通路Ｌｅを流通する室内空気ＲＡが当該調湿素子Ｅ１の冷却部Ｃを通過する調湿部冷却状態で、調湿部Ｗに備えられる吸湿剤６が、給気通路Ｌｆを流通する室外空気ＯＡより水分を吸着する除湿動作を行う除湿動作時に、他方の調湿素子Ｅ２が、室外空気排気循環通路Ｌｏａｒを通流する室外空気ＯＡが、当該調湿素子Ｅ２の調湿部Ｗを通過する再生動作を行うのである。
【００５０】
そして、切換装置ＣＮ（図１及び図２参照）によるダンパーｄの操作により、この除湿動作、再生動作を一対の調湿素子Ｅ１、Ｅ２の間で交互に繰り返す。
【００５１】
調湿素子
図３及び図４に示すように、調湿素子Ｅの夫々は、略六角形状に形成された複数の平板部材１が、当該平板部材１同士の間の夫々に冷却部Ｃ又は調湿部Ｗを形成する状態で積層され、平板部材１の積層方向（素子の厚み方向）において、冷却部Ｃと調湿部Ｗとが交互に配設されて構成されている。
複数の平板部材１の外周縁部には、平板部材１の外周縁部同士を接続する側壁２（閉鎖壁を成す）が設けられている。なお、本実施形態では、６枚の平板部材１によって、３層の冷却部Ｃと２層の調湿部Ｗが形成された場合について説明するが、通常の実用レベルでは、１００枚以上の平板部材１を積層して、５０層以上の冷却部Ｃと調湿部Ｗとを夫々形成することが想定される。
【００５２】
調湿素子Ｅは、例えば、図６に破線で示す排気通路Ｌｅを流通する室内空気ＲＡが当該調湿素子Ｅの冷却部Ｃを通過する調湿部冷却状態で、調湿素子Ｅに備えられる吸湿剤６が、図６に実線で示す給気通路Ｌｆを流通する室外空気ＯＡより水分を吸着する除湿動作を行う。
一方、例えば図６に一点鎖線で示す室外空気排気循環通路Ｌｏａｒを通流する室外空気ＯＡが、当該調湿素子Ｅの調湿部Ｗを通過する再生ことで、吸湿剤６、ひいては調湿素子Ｅが再生される。
【００５３】
図４及び図５に基づいて、調湿素子Ｅについて具体的に説明する。
図４に示すように、調湿部Ｗ及び冷却部Ｃの夫々には、調湿素子Ｅの上面視で、六角形状の平板部材１の長手方向の両端部に、流入口側の流入領域８、１１と、流入口側の流出領域１０、１３とが設けられ、流入領域８、１１と流出領域１０、１３との間に誘導部分９、１２が設けられている。
【００５４】
調湿部Ｗの誘導部分９には、調湿対象の空気ＷＡを誘導する第１誘導部材３が設けられ、冷却部Ｃの誘導部分１２には、冷却用空気ＣＡを誘導する第２誘導部材４が設けられている。第１誘導部材３及び第２誘導部材４は、上面視で誘導部分９、１２と同等の寸法に形成された波板部材によって構成され、調湿部Ｗ及び冷却部Ｃの流入領域８、１１から流出領域１０、１３に向かう方向に直交する方向における断面視が波形状となるように誘導部分９、１２に配置されている。
【００５５】
また、調湿部Ｗの流入領域８側の側面部分に調湿部入口Ｗｉｎが設けられ、調湿部Ｗの流出領域１０側の側面部分に調湿部出口Ｗｏｕｔが設けられている。一方、冷却部Ｃの流入領域１１側の側面部分に冷却部入口Ｃｉｎが設けられ、冷却部Ｃの流出領域１３側の側面部分に冷却部出口Ｃｏｕｔが設けられている。
【００５６】
第１誘導部材３及び第２誘導部材４は、調湿部Ｗにおける調湿対象の空気ＷＡと冷却部Ｃにおける冷却用空気ＣＡとの流れ方向とが、互いに向かい合う方向となるように誘導部分９及び誘導部分１２に夫々配置されており、調湿対象の空気ＷＡと冷却用空気ＣＡとが平板部材１を介して対向流を成す状態で、調湿部Ｗと冷却部Ｃとの間で熱交換することができる。
また、図４に示すように、調湿部Ｗに設けられた第１誘導部材３及び冷却部Ｃに設けられた第２誘導部材４は、夫々、第１波板部材５ａ及び第２波板部材５ｂにより構成されている。
【００５７】
平板部材１、側壁２、第１波板部材５ａ及び第２波板部材５ｂは、例えば、ポリプロピレン（ＰＰ）、ポリエチレン（ＰＥ）、又は、ポリエチレンテレフタレート（ＰＥＴ）等の樹脂を材質として、５０ミクロン程度の厚さの薄板により構成されている。その他、平板部材１及び側壁２については、例えば、紙（空気に含まれる水分が透過しない処理がなされたもの）、金属（例えばアルミニウム等）、ガラス、セラミックなどの材料を用いて作製することができる。また、第１波板部材５ａ及び第２波板部材５ｂについては、例えば、紙、金属（例えばアルミニウム等）、ガラス、セラミックなどの材料を用いて作製することができる。本実施形態では、平板部材１及び波板部材５及び側壁２としてポリエチレンテレフタレートを用いる。
【００５８】
図５に示すように、複数の平板部材１の調湿部Ｗに面する第１面１ａには、調湿部Ｗを通過する調湿対象の空気ＷＡに含まれる水分を吸脱着する吸湿剤６が保持されている。さらに、第１波板部材５ａの表面、つまり、第１波板部材５ａの上面側及び下面側にも吸湿剤６が保持されている。このように、平板部材１及び表面積の大きな波板部材５の両面に多くの吸湿剤６を保持させることができるので、調湿部Ｗにおける水分の吸着性能を高くすることができる。
【００５９】
吸湿剤６としては様々な種類のものを用いることができるが、例えば、ポリアクリル酸系の樹脂（架橋構造を有するポリアクリル酸ナトリウム等）を主成分とする材料を用いることができる。また、平板部材１と吸湿剤６とのバインダーとして、吸湿剤６を構成する材料と極性が近く、吸湿剤６の体積変化やヒートサイクルに耐えることのできる（即ち、バインダーとしての機能を維持できる）柔軟性を有する材料を用いることができる。例えば、吸湿剤６として上述のようなポリアクリル酸系の材料を用いる場合、バインダーとしては水性ウレタン樹脂、ポリ酢酸ビニル、エチレン−酢酸ビニル共重合体などの材料を利用できる。或いは、上述した材料を混合したものをバインダーとして利用することもできる。本実施形態では、吸湿剤６としてポリアクリル酸ナトリウムを用い、バインダーとして水性ウレタン樹脂を用いる。
【００６０】
尚、吸湿剤６を平板部材１及び波板部材５（第１波板部材５ａ）に対してバインダーを用いて保持させる場合、それら三者の接着性を良好にするためには、平板部材１及び波板部材５（第１波板部材５ａ）は、極性が上記バインダー又は吸湿剤６に近く、耐熱性を有する樹脂材料であることが好ましい。よって、本実施形態では、上述の如く、平板部材１及び波板部材５及び側壁２としてポリエチレンテレフタレートを用いている。
そして、ポリアクリル酸ナトリウムと水性ウレタン樹脂等の材料で構成されたバインダーとを含む混合液を、第１面１ａ及び第１波板部材５ａの表面に塗布することにより、アクリル酸ナトリウムを第１面１ａ及び第１波板部材５ａの表面に保持させることができる。
【００６１】
一方、複数の平板部材１の冷却部Ｃに面する第２面１ｂには金属膜７が形成されている。金属膜７は、アルミニウム等の材質により、数ミクロン程度の厚さで構成され、蒸着により第１面１ａに形成されている。これにより、第１面１ａに形成された金属膜７の良好な熱伝導性により、冷却用空気ＣＡと平板部材１との間における伝熱面積が金属膜７により拡大するので、冷却用空気ＣＡと平板部材１との間の伝熱を促進することができる。これにより、冷却部Ｃと調湿部Ｗとの間における熱交換効率が向上する。ここで、本実施形態のように平板部材１が樹脂、紙（空気に含まれる水分が透過しない処理がなされたもの）、ガラス、セラミックで構成される場合には、上述の如く、アルミニウム等の金属膜７を形成することにより冷却部Ｃと調湿部Ｗとの間における熱交換効率を向上させることができる。また、平板部材１が金属（例えばアルミニウム等）で構成される場合には、平板部材１を構成する金属よりも熱伝導性に優れた金属を材料として金属膜７を形成することにより冷却部Ｃと調湿部Ｗとの間における熱交換効率を向上させることができる。
【００６２】
以上より、各調湿素子Ｅは、平面視で概略六角形状を有し、対向する一対の辺に位置する側壁２が閉鎖壁として構成され、残余の四辺に関し、対向する一対の辺が調湿素子Ｅの厚み方向（図５の上下方向）において交互に開口されて、厚み方向に交互に調湿部Ｗと冷却部Ｃを備えて構成される。
【００６３】
以上が、本発明に係る調湿素子Ｅの構成であるが、以下、図１に示した空調システム１００の具体的構成に関して図２を参照しながらさらに説明を進める。
【００６４】
図２は、一の調湿素子Ｅに対する通路構成を中心に模式的に描いたものであり、この例では、同一六角形状とされる一対の調湿素子Ｅ１、Ｅ２が、その積層方向である素子厚み方向（図２の紙面表裏方向である図４の上下方向）に重ねて配置されている。
【００６５】
図１との比較において明らかなように、第１ファンＦ１、第２ファンＦ２及びヒータ２２は共通であり、空調システム１００を構成する胴体１０１は両調湿素子Ｅ１、Ｅ２で共通である。
図２には、同一箇所に設けられるダンパーｄを対で記載した。
【００６６】
そして、六角形状に形成される調湿素子Ｅが、胴体１０１の内部に素子厚み方向を胴体高さ方向（図２の紙面表裏方向）で位置を異ならせて（具体的には上下に重ねられて）配置されている。さらに、調湿部入口Ｗｉｎと冷却部出口Ｃｏｕｔとを区画する厚み方向端縁辺Ｅａ、及び、調湿部出口Ｗｏｕｔと冷却部入口Ｃｉｎとを区画する厚み方向端縁辺Ｅｂから、それぞれ胴体１０１の長手方向に延出され、胴体１０１内を給気通路Ｌｆと排気通路Ｌｅとを区画する長手方向区画壁Ｗａ、Ｗｂが設けられている。
【００６７】
ここで、少なくともダンパーｄ１〜ｄ１０の胴内配置位置より調湿素子側の領域Ｚ１〜Ｚ３が、高さ方向区画面Ｗｃにより、調湿素子Ｅ１、Ｅ２それぞれに対応して分割形成されている。このＷｃで少なくとも分割される範囲を、図２に太破線で示した。
【００６８】
また、第１実施形態では、六角形状の調湿素子Ｅを平面視で方形形状の胴体１０１内に収納されており、図２に示す、調湿素子Ｅの下側辺が胴体１０１の下側辺に重なる構成を有している。対して調湿素子Ｅの上側辺は、胴体１０１から離隔する位置関係とされており、その間に形成された通路Ｌ３が先にも述べた室外空気排気循環通路Ｌｏａｒの一部となるように構成されている。
【００６９】
以下、各運転状態に関して、切換装置ＣＮの切換操作により操作されるダンパーｄ１〜ｄ１０の開閉状態をとともに説明する。
【００７０】
除湿・再生運転
除湿動作時の各ダンパーｄ１〜ｄ１０の開閉状態を表１に示した。また、この運転状態を図６に示した。
表１にあっては、最上段のダンパー欄に、ダンパーの符号を示し、その下の各枠内に、上側の調湿素子Ｅ１、下側の調湿素子Ｅ２、それぞれに備えられるダンパーｄ１〜ｄ１０の開閉状態を示した。
同一枠内で、上側の記載が上側の調湿素子Ｅ１に対して設けられるダンパーｄ１、ｄ３、ｄ５、ｄ７、ｄ９の開閉状態を示し、下側の記載が下側の調湿素子Ｅ２に対して設けられるダンパーｄ２、ｄ４、ｄ６、ｄ８、ｄ１０の開閉状態を示している。
【００７１】
【表１】
2018169056.tif 000003
【００７２】
このダンパーｄ１〜ｄ１０の開閉状態において、第１ファンＦ１、第２ファンＦ２が稼働することにより、一方の素子（図６ではＥ１）が除湿動作し、他方の素子（図６ではＥ２）が再生動作する。
【００７３】
従って、除湿・再生運転においては、一方の調湿素子Ｅ１において、給気通路Ｌｆがダンパーｄ１及びダンパーｄ５を開状態として形成されるとともに、排気通路Ｌｅがダンパーｄ９を開状態として形成され、調湿部Ｗを流れる空気を除湿する除湿動作が実行され、
他方の調湿素子Ｅ２において、室外空気排気循環通路Ｌｏａｒがダンパーｄ４及びダンパーｄ８を開状態とし、ダンパーｄ６を閉状態として、水分を吸着した状態にある吸湿剤６が水分を脱離して再生される再生動作が実行される。
この除湿・再生動作は、一対の調湿素子Ｅ１、Ｅ２間で交互に繰り返される。
【００７４】
以上が、本発明の空調システム１００の主な構成及びその運転形態であるが、以下本発明独特の内部リークを検出するための構成に関して説明する。
本発明のあっては、一対の調湿素子Ｅ１，Ｅ２の間で交互に行われる除湿動作、再生動作に関して、同一の調湿素子Ｅにおける、除湿動作時の状態情報、再生動作時の状態情報を利用する。ここで、状態情報は、空気の温度Ｔ或は湿度Ｘ、それらの両方である。
状態情報の比較においては、同一の情報（温度Ｔであれば温度Ｔ、湿度Ｘであれば湿度Ｘ、さらに、それらの両方（Ｔ，Ｘ）であればそれらの両方（Ｔ，Ｘ））が比較対象となる。
【００７５】
図１、図２に示すように、空調システム１００には、それらを構成する調湿素子Ｅに関し、当該調湿素子Ｅの除湿動作時における、冷却部Ｃ近傍における冷却用空気ＣＡの状態情報である除湿動作時冷却部状態情報と、当該調湿素子Ｅの再生動作時における、冷却部Ｃ近傍における冷却用空気ＣＡの状態情報である再生動作時冷却部状態情報とを取得する状態情報取得手段Ｓ１が備えられている。
【００７６】
状態情報取得手段Ｓ１は、具体的には設置部位の温湿度を検出する温湿度検出器であり、これらの図には、冷却部Ｃの入口Ｃｉｎ近傍及び出口Ｃｏｕｔ近傍にそれぞれ設けている例を示している。
図８においては、温度Ｔについて、その下付き添字としてｃ、ｉｎ，ｏｕｔを付けているが、それぞれ、冷却部Ｃに対応し、検出位置に対応した記載としている。また、上付き添字としてｄ、ｒを付けているが、それぞれ除湿動作時及び再生動作時の温度Ｔであることを示している。
一方、湿度Ｘも検出されるが、添字の付与形態は同様である。
【００７７】
従って、状態情報取得手段Ｓ１は、冷却部Ｃの入口Ｃｉｎ及び出口Ｃｏｕｔを流れる冷却用空気ＣＡの温度Ｔ及び湿度Ｘを、その除湿動作時及び再生動作時に検出する。
湿度Ｘに関しても同様である。
【００７８】
図７に、調湿素子Ｅが除湿動作と再生動作を繰り返しながら動作する状態における冷却部Ｃを通過する冷却用空気ＣＡの温度Ｔｃ或は湿度変化を、再生動作時に調湿部Ｗを通過する空気ＷＤの温度Ｔｗａとともに示した。
【００７９】
同図は横軸が時間であり、除湿動作していた調湿素子Ｅが再生動作に切換った場合の例である。
同図、上部に示すのが調湿部Ｗを再生用に流れる空気ＷＡの温度Ｔｗａである。
同図、下部に示すのが冷却部Ｃを流れる（除湿動作時に調湿部Ｗを冷却するために流れる）の温度Ｔｃである。
内部リークが発生している場合の変化を実線で、発生していない場合の変化を実線に続く、一点鎖線で示している。
【００８０】
この図からも判明するように、内部リークが発生していない場合は、Ｔｗａ，Ｔｃともに大きな変化がないのに対して、内部リークが発生しているとＴｗａが変化しないにも拘わらず、再生動作に切換えられた段階で、冷却用空気ＣＡの温度Ｔｃが上昇する。
この傾向は、温度Ｔのみならず、湿度Ｘであっても同様である。
即ち、内部リークが発生していると、再生用に流れる空気ＷＡが冷却用空気ＣＡに混ざり、温度Ｔｃ、湿度Ｘｃが調湿側に近づく。
【００８１】
結果、本発明のように一対の調湿素子Ｅ１，Ｅ２を備え、その動作が交互に切り換えられる空調システム１００にあっては、各調湿素子Ｅ１，Ｅ２に備えられる低温・低湿度側である冷却部Ｃを流れる冷却用空気ＣＡの状態情報に基づいて、内部リークの判定を良好に行ことができる。
【００８２】
図１、図２に示すように、本発明の空調システム１００には、以上説明した原理に基づいて内部リークの判定を行う内部リーク判定手段Ｃ１が備えられている。
即ち、内部リーク判定手段Ｃ１は、状態情報取得手段Ｓ１により取得される、除湿動作時冷却部状態情報と再生動作時冷却部状態情報との比較において、両者間に設定範囲以上の差が認められる場合に、当該一の調湿素子Ｅに内部リークが発生している可能性があると判定する。
【００８３】
状態情報取得手段Ｓ１及び内部リーク判定手段Ｃ１が実行するフローを、図８に示した。
まず再生動作に入っているかどうかが判定される（ステップ  ＃１）。
これは、先に説明したように、本発明に係る空調システム１００では、再生動作時に有効な判定が行えるためである。
再生動作中であるとされた場合に、実質的な内部リーク判定に入る（ステップ  ＃１；Ｙｅｓ）。
予め記憶されている除湿動作時の状態情報（温度Ｔｄ・湿度Ｘｄ）を確認するとともに（ステップ  ＃３）、現在行っている再生動作時の状態情報（温度Ｔｒ・湿度Ｘｒ）が計測・確認される（ステップ  ＃５）。
【００８４】
このようにして得られた情報は同一箇所（冷却部入口Ｃｉｎか冷却部出口Ｃｏｕｔか）で、同一の状態情報間で除湿動作時の状態情報と再生動作時の状態情報とが比較される（ステップ  ＃７−１、ステップ  ＃７−２）。ここで、αは温度、湿度について、予め設定している閾値である。
【００８５】
比較値間で閾値α以上の差がある場合（ステップ  ＃７−１、ステップ  ＃７−２；ｙｅｓ）に、当該箇所の近傍で内部リークが発生している可能性があると判定され（ステップ  ＃９−１、ステップ  ＃９−２；ｙｅｓ）、所定のエラーが発せられる（ステップ  ＃１０）。
閾値α以上の差が発生しない場合は、内部リークに開始に戻る（ステップ  ＃８）。
【００８６】
〔別実施形態〕
（１）上記実施形態では、温湿度検出情報を判定フローに示す所定の順に行ったが、この取り込みに関しては、その順は任意である。本発明においては、除湿動作時と再生動作時の検出情報を比較できれば良い。
【００８７】
（２）先にも示したように、状態情報は、温度、湿度のいずれか一方、或はそれらの両方でも構わない。状態情報には、所定の空気の混合が起こっている場合に、それが変化する状態情報であればよく、空気の温度及び湿度から求まるエンタルピーであってもよい。
【００８８】
（３）上記実施形態では、内部リークが発生している場所の特定（冷却部入口Ｃｉｎ近傍か冷却部出口Ｃｏｕｔ近傍かまで特定）したが、このような場所の特定を行うことなく、
単に内部リークが発生している可能性があるとのエラー情報を出力する構成としてもよい。
【００８９】
（４）上記実施形態では、一対の調湿素子Ｅを備えた空調システム１００に関して、主に除湿・再生運転時に内部リークを検出する場合を説明したが、このような、除湿・再生運転の他、換気運転、加湿運転を実行するものであってもよい。
ここで、換気運転は、一対の調湿素子Ｅ間で給気と排気を行う構成としても良いし、一の調湿素子Ｅで、給気、排気の両方を行うものとしてもよい。
加湿運転は、除湿動作を行った調湿素子Ｅについて、その調湿部Ｗに室外空気ＯＡを流して、室内空間Ｒを加湿する運転形態である。
【符号の説明】
【００９０】
６          吸湿剤
２２        ヒータ（昇温手段）
１００      空調システム
Ｃ          冷却部
Ｃ１        内部リーク判定手段
ＣＮ        切換装置
ＣＡ        冷却用空気
Ｅ          調湿素子
Ｅ１        一方の調湿素子（調湿側）
Ｅ２        他方の調湿素子（再生側）
Ｆ１        第１ファン（給気手段）
Ｆ２        第２ファン（排気手段）
Ｌｆ        給気通路
Ｌｅ        排気通路
Ｌｏａｒ    室外空気排気循環通路
Ｏ          室外空間
ＯＡ        室外空気
Ｒ          室内空間
ＲＡ        室内空気
Ｓ１        検出機構
Ｓ２        検出機構
Ｗ          調湿部
ＷＡ        調湿対象の空気（空気）
ｄ          ダンパー（調整手段）
ｄ１〜１０  ダンパー（第１〜第５調整手段）
【図１】
2018169056.tif 000004
【図２】
2018169056.tif 000005
【図３】
2018169056.tif 000006
【図４】
2018169056.tif 000007
【図５】
2018169056.tif 000008
【図６】
2018169056.tif 000009
【図７】
2018169056.tif 000010
【図８】
2018169056.tif 000011